(57)【要約】【課題】  携帯電話等の通話源を特定の箇所にセットすることなく、ヘッドレストによるハンズフリー通話を可能とした新規な手法を提供する。【解決手段】  車の座席に備え付けられたヘッドレスト１０−１〜１０−４にワイヤレス通信機能を持たせることで、携帯電話５０、携帯プレーヤ５２、カーステレオ５４等の車内で利用される各種音声ソースとの音声データの交換を可能とし、この交換した音声データを各ヘッドレスト１０−１〜１０−４に設けられたスピーカから出力する。さらに、各ヘッドレスト１０−１〜１０−４の通信機能を利用することで、ヘッドレストを介した同乗者間の会話も可能とする。【選択図】  図１
2006080886.tif 000002
【特許請求の範囲】
【請求項１】
通話源との無線通信を確立する手段と、
前記無線通信を介して前記通話源との音声交換が可能なスピーカおよびマイクを備えたワイヤレスヘッドレスト。
【請求項２】
無線通信手段と、スピーカと、マイクとを備えたワイヤレスヘッドレストを複数備え、  前記各ワイヤレスヘッドレストは、
前記無線通信手段を介して他のワイヤレスヘッドレストとの通信を可能としたことを特徴とするワイヤレスヘッドセット。
【請求項３】
通話源との無線通信を確立する手段と、
前記通話源から受信した受話音を外部に出力するスピーカと、
送話音の取り込みが可能な位置に設けられた第１のマイクロホンと、
外音の取り込みが可能な位置に設られた第２のマイクロホンと
を具備するワイヤレスヘッドレスト。
【請求項４】
通信源との無線通信を確立する手段と、
前記通信源から受信した音声信号を外部に出力するスピーカと、
外音の取り込みが可能な位置に設られたマイクロホンと、
前記マイクロホンから取り込んだ外音の種類を判定する判定手段と、
前記判定手段の判定結果に基づいて前記通信源から受信した音声信号の音量を調節する手段と
を具備するワイヤレスヘッドレスト。
【請求項５】
複数の通信源との無線通信を確立する手段と、
前記無線通信を確立する通信源を選択する手段と、
前記選択した通信源から受信した音声信号を外部に出力するスピーカと
を具備するワイヤレスヘッドレスト。
【請求項６】
複数の通信源との無線通信を確立する手段と、
前記通信源から受信した信号の種類を判定する判定手段と、
前記判定手段の判定結果に基づいて前記無線通信を確立する通信源を選択する手段と、
前記選択した通信源から受信した音声信号を外部に出力するスピーカと
を具備するワイヤレスヘッドレスト。
【発明の詳細な説明】
【技術分野】
【０００１】
この発明は、ワイヤレスヘッドレストに関し、特に、装着時の違和感緩和に有効なワイヤレスヘッドレストに関する。
【背景技術】
【０００２】
携帯電話のハンズフリー装置としては、下記の文献に記載されたものが知られている。
【特許文献１】特開２００２−２４７１７３号公報  この特許文献１には、携帯電話をスピーカとマイクロホンを備えた充電器にセットすることで、ハンズフリーを可能とした構成が示されている。
【０００３】
一方、ヘッドセット型のハンズフリー装置としては、下記の文献に記載されたものが知られている。
【特許文献２】特表平１０−５０９５７０号公報  この特許文献２には、ヘッドセットをスタンドに取り付けて、卓上マイクロホンとして使用可能とした構成が示されている。
【０００４】
また、ヘッドレスト型のハンズフリー装置としては、下記の文献に記載されたものが知られている。
【特許文献３】特開平５−９２７４１号公報
【特許文献４】特開平８−３２４３５４号公報
【特許文献５】特開平９−１４９１１２号公報
【特許文献６】特開平１１−００４２８７号公報
【特許文献７】特開２０００−２３２９２２号公報
【特許文献８】特開２００１−０９５６４６号公報
【特許文献９】特開２００１−１４６１３６号公報
【特許文献１０】特開２００１−２６０７６２号公報
【特許文献１１】特開２００１−２６０７６３号公報
【特許文献１２】特開２００２−０５７７７３号公報
【特許文献１３】特開２００２−２７１４６３号公報
【特許文献１３】特開２００２−３６２２４５号公報
【特許文献１４】特開２００３−２２４６５３号公報
【特許文献１５】特開２００４−０１５０９０号公報
【特許文献１６】特開２００４−０１６７１１号公報  これら特許文献３〜１６には、自動車内に設けられたヘッドレストにマイクとスピーカを内蔵し、ヘッドレストによるハンズフリー通話を可能とした例が多数開示されている。
【発明の開示】
【発明が解決しようとする課題】
【０００５】
しかし、上記特許文献１の構成では、ハンズフリー通話を行うためには、携帯電話をカバンやポケットから取り出して充電器にセットする必要があり、また、他人に聞かれたくない内容の場合には、携帯電話で通話する必要があるため、ハンズフリー通話を維持することができなかった。特に、車内で使用する場合には、携帯電話を充電器にセットする構成では不必要に大きくなり、重心も安定しないため、車内での取付場所に制約を受けることになる。
【０００６】
また、上記特許文献２の構成では、通話源との接続が有線になるため煩わしさが残り、上記特許文献１と同様に、携帯電話をカバンやポケットに入れたままの通話はできなかった。
【０００７】
また、上記特許文献３〜１６の構成では、上述の特許文献１と同様に、ハンズフリー通話を行うためには、携帯電話をカバンやポケットから取り出してヘッドレストに接続する必要があり、携帯電話の取り出しや固定に煩雑さが残るという課題があった。
【０００８】
そこで、本発明は、携帯電話等の通話源を特定の箇所にセットすることなく、ヘッドレストによるハンズフリー通話を可能とした新規な手法を提供する。
【課題を解決するための手段】
【０００９】
上記目的を達成するため、請求項１記載の発明は、通話源との無線通信を確立する手段と、前記無線通信を介して前記通話源との音声交換が可能なスピーカおよびマイクを備えたことを特徴とする。
【００１０】
ここで、通話源としては、携帯電話、固定式電話、公衆電話、ＩＰ電話等の各種電話機器や、ＰＣやＰＤＡ等のコンピュータ機器、ラジオやステレオ等のオーディオ機器等、音声信号を扱う各種機器や他のワイヤレスヘッドレストが含まれる。
【００１１】
これらの通話源とヘッドレストには、双方向または一方向の無線通信による音声信号の交換が可能な無線通信回路が組み込まれ、この回路間で構築される無線通信コネクションを介して音声信号の送受信が行われる。ここで使用する無線通信規格としては、音声信号の交換に適し、かつ、他信号の影響を受けにくいブルートゥースが推奨される。
【００１２】
上記構成によれば、ヘッドレストと通話源との音声信号の交換は、無線通信を介して行われるため、例えば、携帯電話をカバンやポケットに入れたままで、ヘッドレストによるハンズフリー通話が可能となる。
【００１３】
ここで、ヘッドレストはユーザから非常に近い位置に配置されるため、例えば運転中に同乗者に聞かれたくない内容であっても、自己のみが聞こえる音量でハンズフリー通話を行うことができるとともに、一人で運転中の場合でも、ヘッドセット装着の煩わしさを避けたハンズフリー通話を行うことができる。
【００１４】
さらに、自動車用ハンズフリーのシーンにあっては、ヘッドセットで耳をふさぐことによる運転中の違和感や外音が聞こえにくくなることによる危険性を緩和することもできる。
【００１５】
また、請求項２記載の発明は、無線通信手段と、スピーカと、マイクとを備えたワイヤレスヘッドレストを複数備え、前記各ワイヤレスヘッドレストは、前記無線通信手段を介して他のワイヤレスヘッドレストとの通信を可能としたことを特徴とする。
【００１６】
このようにヘッドレスト同士の通信を可能とすることで、同乗者間でヘッドレストを介した会話を行うことが可能になるため、例えば、高速道路の運転中や窓を開けた状態での運転等の騒音が多い環境下であっても、同乗者間での会話を行うことができる。
【００１７】
また、請求項３記載の発明は、通話源との無線通信を確立する手段と、前記通話源から受信した受話音を外部に出力するスピーカと、送話音の取り込みが可能な位置に設けられた第１のマイクロホンと、外音の取り込みが可能な位置に設られた第２のマイクロホンとを具備することを特徴とする。
【００１８】
上記のように、外音取り込み機能を設けることで、通話中であってもキャッチしなればならない外音、例えば、サイレン等の取り込みも可能になる。その他、受話音と外音との合成機能をさらに設けることで、例えば、受話音と外音の音量バランス調整が可能になる等、より快適な通話を提供することができる。
【００１９】
また、、請求項４記載の発明は、通信源との無線通信を確立する手段と、前記通信源から受信した音声信号を外部に出力するスピーカと、外音の取り込みが可能な位置に設られたマイクロホンと、前記マイクロホンから取り込んだ外音の種類を判定する判定手段と、前記判定手段の判定結果に基づいて前記通信源から受信した音声信号の音量を調節する手段とを具備することを特徴とする。
【００２０】
ここで、通信源としては、携帯電話の他、カーステレオや携帯音楽プレーヤ等の音楽再生装置や他のワイヤレスヘッドレストが含まれる。
【００２１】
このように、外音の種類に応じて受信音声の音量を調整する機能を設けることで、通話中や音楽のリスニング中であってもキャッチしなればならない外音、例えば、サイレン等が鳴っている場合には、受信音を自動的に小さくすることで、サイレンの確実なキャッチが可能になる。
【００２２】
また、請求項５記載の発明は、複数の通信源との無線通信を確立する手段と、前記無線通信を確立する通信源を選択する手段と、前記選択した通信源から受信した音声信号を外部に出力するスピーカとを具備することを特徴とする。
【００２３】
このように通信源の選択機能を設けることで、例えば、ある同乗者と会話したい場合には、当該同乗者のワイヤレスヘッドレストとの無線通信を確立させ、全員と会話したい場合には、全員のワイヤレスヘッドレストとの無線通信を確立させ、一人または全員で音楽を聴きたい場合には、音楽プレーヤを通信源として選択する等のユーザによるソースの自由な選択が可能になる。
【００２４】
また、請求項６記載の発明は、複数の通信源との無線通信を確立する手段と、前記通信源から受信した信号の種類を判定する判定手段と、前記判定手段の判定結果に基づいて前記無線通信を確立する通信源を選択する手段と、前記選択した通信源から受信した音声信号を外部に出力するスピーカとを具備することを特徴とする。
【００２５】
このように複数の通信源を自動的に切替可能な構成とすることで、例えば、音楽を聴いている時に携帯電話からの着信が入った場合は、自動的に携帯電話の通話に切り替わる構成や、同乗者から会話のリクエストがあった場合に、当該同乗者への通信に切り替わる構成を取ることができる。
【発明の効果】
【００２６】
以上説明したように、本発明によれば、各種の通信源との無線交信が可能なヘッドレスト通信システムを提供することができる。
【発明を実施するための最良の形態】
【００２７】
以下、本発明の実施形態を添付図面を参照して詳細に説明する。尚、本発明は、以下説明する実施形態に限らず適宜変更可能である。
【００２８】
図１は、本実施形態に係るワイヤレスヘッドレストのシステム構成を示す平面図である。同図に示すように、本システムでは、車内の座席に設けられたヘッドレストにワイヤレス機能が組み込まれたワイヤレスヘッドレスト１０−１〜１０ー４が各座席に設けられる。
【００２９】
その結果として、各ワイヤレスヘッドレスト１０−１〜１０ー４は、通信源となる携帯電話５０、携帯プレーヤ５２、カーステレオ５４および他のヘッドレストと無線通信可能なワイヤレスヘッドレストとして構成される。ここで、各通信源とヘッドレスト１０との間は、ワイヤレスコネクション６０による双方向通信が行われ、通信規格としては音声通信に適し、７基までのマルチコネクションが可能なブルートゥースが適用される。よって、各通信源には、ブルートゥース回路が搭載される。
【００３０】
このワイヤレスヘッドレスト１０は、運転中等の携帯電話５０の使用が制約されるハンズフリーシーンで好適に利用される。例えば、運転中に携帯電話５０が着信を受けた場合には、携帯電話５０とヘッドレスト１０とがワイヤレスリンク６０を介して接続され、この状態でヘッドレスト１０を耳に装着することにより、携帯電話５０をカバンやポケットに入れたままであってもハンズフリー通話を行うことができる。
【００３１】
その他、携帯プレーヤ５２やカーステレオ５４で再生される音楽を聴きたい場合には、ブルートゥースの通信チャネルを当該音楽ソースに切り替えることで、好みのソースを選択し、ヘッドレストに内蔵されたスピーカから音楽を聴くことができる。
【００３２】
加えて、同乗者間で会話を行いたい場合には、ブルートゥースの通信チャネルを他のヘッドレストに切り替えることで、ヘッドレストを介した会話を行うことができる。その際、ヘッドレスト内に設けられた音声認識・合成機能により、カーステレオ５４で再生された音楽をＢＧＭにして会話を行うことも可能である。
【００３３】
さらに、車外でサイレンＳｉｒｅｎが鳴っている場合には、音楽のリスニングや会話の途中であっても、ヘッドレスト内に設けられた音声認識・合成機能により、当該音楽や会話中にサイレンＳｉｒｅｎを割り込ませるか、または、音楽や会話を止めることで、サイレンＳｉｒｅｎが確実にキャッチできるように構成される。
【００３４】
また、各ヘッドレスト１０−１〜１０−４には、２基のスピーカが設けられており、ステレオでもモノラルでも、いずれの音声再生も可能に構成され、音源ソースの形式に応じて、自動的に出力方式が選択される。
【００３５】
図２は、図１に示したヘッドレストの構成を示す斜視図である。同図に示すように、ヘッドレスト１０は、各種回路を収容したヘッドレスト本体１２と、該ヘッドレスト本体１２に取り付けられたスピーカ１４−１および１４−２と、送話用マイク１８と、外音収集用マイク２０と、シガライタ等に接続可能な電源コード３０とで構成される。尚、ヘッドレスト本体１２には、電源コード３０からの電源のＯＮ／ＯＦＦを切り替える図示しない電源スイッチが設けられる。
【００３６】
ここで、スピーカ１４−１および１４−２は、携帯プレーヤ５２等の音楽ソースのステレオ出力に対応して、ヘッドレスト１０の左右にそれぞれ配置され、Ｓｏｕｎｄ（Ｒ）およびＳｏｕｎｄ（Ｌ）を出力する。
【００３７】
送話用マイク１８は、ユーザが発した声をキャッチするマイクロホンを先端に内蔵するとともに、角度調整部２２の蛇腹構造によってロッドアンテナのように伸縮自在で好みの方向に向けることが可能な構造で、ヘッドレスト本体１２に回動可能な状態で取り付けられる。尚、会話をしない場合や音楽を聞く場合には、このマイク１８をヘッドレスト本体１２の裏側に送って収容することも可能である。
【００３８】
外音収集用マイク２０は、外音の取り込みが好適な位置に設けられ、このマイク２０で収集した外音がヘッドレスト１０の内部で音声処理される。例えば、外音収集用マイク２０で取り込んだ音声の中にサイレン等の特定音声パターンが含まれていた場合には、音楽や会話を中断してサイレンのみをスピーカ１４−１および１４−２から出力することで、ユーザに対して当該サイレンの存在を認知させる。
【００３９】
図３は、図２に示したヘッドレストの内部回路構成を示すブロック図である。同図に示すように、ヘッドレスト１０は、携帯電話や他のヘッドレストとの無線通信機能を提供するブルートゥース回路１００と、該ブルートゥース回路１００から出力された信号に対してノイズキャンセラやイコライザ処理を行う音声処理回路１０４と、該各回路１００および１０４に必要なプログラムおよびデータを格納する不揮発性メモリ１１２−１および１１２−２と、該音声処理回路にて処理された信号を増幅するオーディオアンプ１０６と、音声入力インターフェースとなる第１および第２のマイクロホン１０８−１および１０８−２と、音声出力インターフェースとなるスピーカ１１０−１および１１０−２とで構成される。
【００４０】
ここで、第１のマイクロホン１０８−１は、図２に示した送話用マイク１８の内部に組み込まれ、第２のマイクロホン１０８−２は、図２に示した外音収集用マイク２０の内部に組み込まれ、スピーカ１１０−１および１１０−２は、図２に示したヘッドレスト本体１２の左右にそれぞれ配置される。
【００４１】
図４は、図３に示した音声処理回路の第１の構成例とその動作を説明したブロック図である。同図に示す音声処理回路１０４は、ブルートゥース回路１００、第１のマイクロホン１０８−１および第２のマイクロホン１０８−２からそれぞれ入力される信号に対応して設けた重み演算器１５０−１〜１５０−３と、該各演算器１５０−１〜１５０−３の出力を合成する合成回路１５２とで構成される。
【００４２】
重み演算器１５０−１に入力されたブルートゥース回路１００からの受信音は、「Ａ」という重み付けがされて「Ａ・受信音」として合成回路１５２に入力され、重み演算器１５０−２に入力された第１のマイクロホン１０８−１からの送話音は、「Ｂ」という重み付けがされて「Ｂ・送話音」として合成回路１５２に入力され、重み演算器１５０−３に入力された第２のマイクロホン１０８−２からの外音は、「Ｃ」という重み付けがされて「Ｃ・外音」として合成回路１５２に入力される。
【００４３】
ここで、各重み演算器１５０−１〜１５０−３には、外部からのボリュームコントロール信号が入力される構成となっており、ユーザは、各重み値Ａ、ＢおよびＣに対して好みの値を設定することができる。
【００４４】
合成回路１５２は、各重み演算器１５０−１〜１５０−３から得た信号を合成して、「Ａ・受信音＋Ｂ・送話音＋Ｃ・外音」なる合成信号を生成し、この生成した合成信号をオーディオアンプ１０６を介してスピーカ１１０−１および１１０−２から出力する。
【００４５】
この音声処理回路１０４の外音処理により、通話中や音楽のリスニング中であっても、外音を常にスピーカから出力させることができるため、片耳であっても塞ぐことが規制の対象になり得る自動車用ハンズフリーへの適用も期待できる。
【００４６】
さらに、会話や音楽と外音との音声バランスは、ユーザが好みの状態に調整でき、また、外音にサイレンや警告音が含まれている場合には、外音の音量を自動的に大きく設定することもできるため、各種ハンズフリーへの応用が期待できる。
【００４７】
図５は、図３に示した音声処理回路の第２の構成例とその動作を説明したブロック図である。同図に示す音声処理回路１０４は、ブルートゥース回路１００、第１のマイクロホン１０８−１および第２のマイクロホン１０８−２からそれぞれ入力される信号を解読する音声デコーダ１５４と、ブルートゥース回路１００、第１のマイクロホン１０８−１および第２のマイクロホン１０８−２からそれぞれ入力される信号に対応して設けた重み演算器１５０−１〜１５０−３と、該各演算器１５０−１〜１５０−３の出力を合成する合成回路１５２とで構成される。
【００４８】
音声デコーダ１５４は、入力された各音声信号の種類を判定し、例えば、第２のマイクロホン１０８−２から得た外音の中にサイレンや警告が含まれている場合には、重み値Ｃを大きく設定するとともに、重み値ＡおよびＢを小さく設定するかまたは遮断して、サイレンや警告を確実にキャッチできるようユーザに働きかける。
【００４９】
ここで、音声デコーダ１５４には、外部からのボリュームコントロール信号が入力される構成となっており、ユーザは、各重み値Ａ、ＢおよびＣに対して好みの値を設定することができる。尚、重み演算器１５０−１〜１５０−３および合成回路１５２の構成および動作は、前述の図４に示した例と同様である。
【００５０】
このように本音声処理回路１０４では、音声デコーダ１５４による音声認識に基づいて、各音声の重み量が自動的に調整されるため、外音に含まれたサイレンや警告等を確実にキャッチすることができる。
【００５１】
図６は、図５に示した音声処理回路が実行する合成処理の一例を示すフローチャートである。同図に示すように、図５に示した音声処理回路は、受信した外音にサイレンが含まれているか否かを判断し（ステップＳ１００）、サイレンが含まれていた場合には、通話信号の重み値ＡおよびＢを小さく設定するとともに、当該サイレンが含まれた外音の重み値Ｃを大きく設定する（ステップＳ１０２）。
【００５２】
その後、入力された受信音、送話音、外音にそれぞれＡ、ＢおよびＣの重み付けを行ってこれらを合成し（ステップＳ１０４）、この合成した信号をスピーカから出力する。
【００５３】
一方、外音にサイレンが含まれていなかった場合には（ステップＳ１００でＮＯ）、ステップＳ１０２の処理を飛ばして、ステップＳ１０４の処理を実行する。その後、ヘッドレストの電源がＯＦＦされるまで、ステップＳ１００からステップＳ１０４までの処理を繰り返す（ステップＳ１０６でＮＯ）。
【００５４】
図７は、図３に示したヘッドレストの内部回路に外部からのチャネル切替機能を付加した構成例を示すブロック図である。ブルートゥース回路１００の無線確立手法としては、予め登録された優先順位に従って通信相手を選択する方法や、通信確立が可能な相手を自動的に走査する方法等があるが、同図に示す例は、ユーザからの指示によって通信相手の選択を可能とした場合の例である。
【００５５】
このように、ユーザからの指示によって通信相手の選択を可能とする場合には、同図に示すように、チャネル選択信号Ｃｈａｎｎｅｌ  Ｓｅｌｅｃｔを外部から取り込んで、ブルートゥース回路１００に入力する構成とし、入力されたチャネル選択信号Ｃｈａｎｎｅｌ  Ｓｅｌｅｃｔが示す通信相手を優先的に選択する構成とする。
【００５６】
図８は、図３に示したヘッドレストの内部回路にチャネル自動切替機能を付加した構成例を示すブロック図である。同図に示す例は、マイクロホン１０８−１または１０８−２から受信した音声の種類によって通信相手の選択を可能とした場合の例である。
【００５７】
このように、受信した音声の種類によって通信相手の選択を可能とする場合には、同図に示すように、音声処理回路１０４内で各マイクロホンから取り込んだ信号の音声認識を行い、この認識結果に基づいて、チャネル選択信号Ｃｈａｎｎｅｌ  Ｓｅｌｅｃｔをブルートゥース回路１００に入力する構成とする。
【００５８】
ここで、不揮発性メモリ１１２−２には、音声信号の種類ごとに固有の自動処理が登録されており、音声処理回路１０４は、この登録された自動処理を選択実行する。例えば、音楽のリスニング中にユーザから「シートＡ」との音声入力を受けた場合には、シートＡに備え付けられたヘッドレストとの無線リンクを確立する処理や、ラジオから緊急ニュースが入った場合は、カーステレオに無線リンクを切り替える処理や、携帯電話からの着信があった場合には、当該携帯電話に無線リンクを切り替える処理を行う。
【００５９】
図９は、本実施形態に係るワイヤレスヘッドレストの別のシステム構成を示す平面図である。同図に示すように、各通信源の無線リンクは、中継機６２を介して行う構成としても良い。その他は、図１に示した例と同様である。
【００６０】
このように、中継機６２を介することで、各ヘッドレストのブルートゥース回路は、当該中継機６２との無線リンクを確立すれば良い構成となり、中継機６２にルータ機能を持たせておけば、携帯電話５０や携帯プレーヤ５２の音源を各ヘッドレストで共有することができる。
【００６１】
尚、上述した例では、同じ車内に存在する通信源とヘッドレストとの間での通信を例に説明したが、他の車内に存在する通信源との通信を行う構成としても良い。
【産業上の利用可能性】
【００６２】
本発明によれば、携帯電話や携帯プレーヤ等の通信源を特定の箇所にセットすることなく、ヘッドレストによるハンズフリー通話が可能になるため、各種音源が混在し同乗者との会話が望まれる車載用ハンズフリーへの適用が期待される。
【図面の簡単な説明】
【００６３】
【図１】本実施形態に係るワイヤレスヘッドレストのシステム構成を示す平面図である。
【図２】図１に示したヘッドレストの構成を示す斜視図である。
【図３】図２に示したヘッドレストの内部回路構成を示すブロック図である。
【図４】図３に示した音声処理回路の第１の構成例とその動作を説明したブロック図である。
【図５】図３に示した音声処理回路の第２の構成例とその動作を説明したブロック図である。
【図６】図５に示した音声処理回路が実行する合成処理の一例を示すフローチャートである。
【図７】図３に示したヘッドレストの内部回路に外部からのチャネル切替機能を付加した構成例を示すブロック図である。
【図８】図３に示したヘッドレストの内部回路にチャネル自動切替機能を付加した構成例を示すブロック図である。
【図９】本実施形態に係るワイヤレスヘッドレストの別のシステム構成を示す平面図である。
【符号の説明】
【００６４】
１０…ワイヤレスヘッドレスト、１２…ヘッドレスト本体、１４…スピーカ、１８…送話用マイク、２０…外音収集用マイク、２２…角度調整部、２４…ベースプレート、３０…電源コード、５０…携帯電話、５２…携帯プレーヤ、５４…カーステレオ、６０…ワイヤレスリンク、６２…中継機、１００…ブルートゥース回路、１０２…バッテリ、１０４…音声処理回路、１０６…オーディオアンプ、１０８…マイクロホン、１１０…スピーカ、１１２…不揮発性メモリ、１５０…重み演算器、１５２…合成回路、１５４…音声デコーダ
【図１】
2006080886.tif 000003
【図２】
2006080886.tif 000004
【図３】
2006080886.tif 000005
【図４】
2006080886.tif 000006
【図５】
2006080886.tif 000007
【図６】
2006080886.tif 000008
【図７】
2006080886.tif 000009
【図８】
2006080886.tif 000010
【図９】
2006080886.tif 000011